(57)【要約】【課題】  ユーザ端末からの印刷命令を印刷実行前に受信し、消耗品の使用量を算出する印刷制御装置を提供する。【解決手段】  ネットワーク１２は、ユーザの端末と印刷装置１０と印刷制御装置１の通信制御部２を接続している。通信制御部２は、ユーザの端末から印刷命令を送受信する。印刷制御部４は、受信した印刷命令の圧縮形式に対応する圧縮アルゴリズムを検出して印刷命令を解読し、解読した内容に基づいて印刷装置１０が使用する消耗品の使用量を算出して、使用量に基づいた課金料金を算出する。【選択図】    図１
2005219343.tif 000002
【特許請求の範囲】
【請求項１】
ネットワークを介してユーザの端末及び印刷装置と接続され、前記ユーザの端末から印刷命令を受信し、前記印刷命令を前記印刷装置へ送信する通信制御部と、
前記通信制御部で受信した前記印刷命令の圧縮形式に対応する圧縮アルゴリズムを検出して前記印刷命令を解読し、前記印刷装置が使用する消耗品の使用量を算出して、前記使用量に基づいた課金料金を算出する印刷制御部と、
を備えたことを特徴とする印刷制御装置。
【請求項２】
前記印刷制御部は、
解読した前記印刷命令に用いられているプリンタ記述言語を検出し、前記プリンタ記述言語に基づいて、前記印刷命令によって前記印刷装置が使用する消耗品の使用量を算出し、
前記使用量に基づいて、印刷紙上に実際に印刷する面積と印刷紙上の印刷領域全体の面積の比率であるデューティ比を算出し、
算出した前記デューティ比を予め設定された値の範囲で分類し、値の範囲に対応して予め設定された課金料金のうち前記デューティ比に対応する前記課金料金を得ることを特徴とする請求項１に記載の印刷制御装置。
【請求項３】
ネットワークを介してユーザの端末及び印刷装置と接続され、前記ユーザの端末から印刷命令を受信し、前記印刷命令を前記印刷装置へ送信する通信制御部と、
前記通信制御部で受信した印刷命令を印刷ジョブとして格納する印刷ジョブ格納部と、
前記印刷ジョブ格納部から、前記印刷ジョブを読み出す時に、当該印刷ジョブのユーザＩＤと同じＩＤが設定されている格納中の他の印刷ジョブを検出し、前記読み出した印刷ジョブと検出したユーザＩＤが同一の前記印刷ジョブを結合し、印刷命令として前記印刷装置へ送信する印刷制御部と、
を備えたことを特徴とする印刷制御装置。
【請求項４】
ネットワークを介してユーザの端末及び印刷装置と接続している印刷制御装置の印刷制御方法であって、
ネットワークを介して前記ユーザの端末から印刷命令を受信する過程と、
受信した前記印刷命令の圧縮形式に対応する圧縮アルゴリズムを検出する過程と、
前記圧縮アルゴリズムに基づいて前記印刷命令を解読する過程と、
解読した前記印刷命令に基づいて前記印刷装置が使用する消耗品の使用量を算出する過程と、
前記使用量に基づいて課金料金を算出する過程と、
前記印刷命令を前記印刷装置に送信する過程と、
を備えたことを特徴とする印刷制御方法。
【請求項５】
前記印刷制御方法は、
解読した前記印刷命令に用いられているプリンタ記述言語を検出する過程と、
前記プリンタ記述言語に基づいて、前記印刷装置が使用する消耗品の使用量を算出する過程と、
前記使用量に基づいて、印刷紙上に実際に印刷する面積と印刷紙上の印刷領域全体の面積の比率であるデューティ比を算出する過程と、
算出した前記デューティ比を予め設定された幾つかの値の範囲で分類する過程と、
前記値の範囲ごとに予め設定された課金料金のうち該当する前記課金料金を得る過程と、を更に備えたことを特徴とする請求項４に記載の印刷制御方法。
【請求項６】
ネットワークを介してユーザの端末及び印刷装置と接続している印刷制御装置の印刷制御方法であって、
前記ユーザの端末から印刷命令を受信する過程と、
前記通信制御部で受信した印刷命令を印刷ジョブとして格納する過程と、
格納中の前記印刷ジョブを読み出す過程と、
当該印刷ジョブのユーザＩＤと同じＩＤが設定されている格納中の他の印刷ジョブを検出する過程と、
前記読み出した印刷ジョブと検出したユーザＩＤが同一の前記印刷ジョブを結合する過程と、
結合した前記印刷ジョブを印刷命令として前記印刷装置へ送信する過程と、
を備えたことを特徴とする印刷制御方法。
【請求項７】
ネットワークを介してユーザの端末及び印刷装置と接続している印刷制御装置のコンピュータに、
ネットワークを介して前記ユーザの端末から印刷命令を受信する手順、
受信した前記印刷命令の圧縮形式に対応する圧縮アルゴリズムを検出する手順、
前記圧縮アルゴリズムに基づいて前記印刷命令を解読する手順、
解読した前記印刷命令に基づいて前記印刷装置が使用する消耗品の使用量を算出する手順、
前記使用量に基づいて課金料金を算出する手順、
前記印刷命令を前記印刷装置に送信する手順、
を実行させるコンピュータプログラム。
【請求項８】
解読した前記印刷命令に用いられているプリンタ記述言語を検出する手順、
前記プリンタ記述言語に基づいて、前記印刷装置が使用する消耗品の使用量を算出する手順、
前記使用量に基づいて、印刷紙上に実際に印刷する面積と印刷紙上の印刷領域全体の面積の比率であるデューティ比を算出する手順、
算出した前記デューティ比を予め設定された幾つかの値の範囲で分類する手順、
前記値の範囲ごとに予め設定された課金料金のうち該当する前記課金料金を得る手順、を更に備えたことを特徴とする請求項７に記載のコンピュータプログラム。
【請求項９】
ネットワークを介してユーザの端末及び印刷装置と接続している印刷制御装置のコンピュータに、
前記ユーザの端末から印刷命令を受信する手順、
前記通信制御部で受信した印刷命令を印刷ジョブとして格納する手順、
格納中の前記印刷ジョブを読み出す手順、
当該印刷ジョブのユーザＩＤと同じＩＤが設定されている格納中の他の印刷ジョブを検出する手順、
前記読み出した印刷ジョブと検出したユーザＩＤが同一の前記印刷ジョブを結合する手順、
結合した前記印刷ジョブを印刷命令として前記印刷装置へ送信する手順、
を実行させるコンピュータプログラム。
【発明の詳細な説明】
【技術分野】
【０００１】
本発明は、消耗品の使用量を算出する印刷制御装置に関する。
【背景技術】
【０００２】
従来の技術では、ユーザのコンピュータ上で、印刷実行前に、印刷データからインクジェット方式の印刷装置の印刷ヘッドの動作する時間を予測して、印刷ヘッドの動作時間に基づくインク使用量を予測している。そのインク使用量から、課金料金を算出してユーザに印刷実行前にその課金料金を通知している（例えば、特許文献１参照）。
【特許文献１】特開２００２−２１５３６８号公報
【発明の開示】
【発明が解決しようとする課題】
【０００３】
しかしながら、特許文献１に示す印刷制御装置はユーザのコンピュータ内に組み込む必要があり、ユーザのコンピュータに負荷がかかるという問題とバージョンアップ等の管理に負担がかかるという問題がある。また、レーザプリンタの場合、印刷ヘッドの動作時間は、印刷媒体に依存せずに一定時間であるため、特許文献１に示す仕組みでは、課金料金を算出することができないという問題がある。
【０００４】
本発明は、上記問題を解決すべくなされたもので、その目的は、ユーザのコンピュータに負担をかけず、また、プリンタの種類に依存することなく印刷前の課金料金の算出をすることができる印刷制御装置を提供することにある。
【課題を解決するための手段】
【０００５】
請求項１に記載の発明は、ネットワークを介してユーザの端末及び印刷装置と接続され、前記ユーザの端末から印刷命令を受信し、前記印刷命令を前記印刷装置へ送信する通信制御部と、前記通信制御部で受信した前記印刷命令の圧縮形式に対応する圧縮アルゴリズムを検出して前記印刷命令を解読し、前記印刷装置が使用する消耗品の使用量を算出して、前記使用量に基づいた課金料金を算出する印刷制御部と、を備えたことを特徴とする印刷制御装置である。
【０００６】
請求項２に記載の発明は、請求項１に記載の発明において、前記印刷制御部は、解読した前記印刷命令に用いられているプリンタ記述言語を検出し、前記プリンタ記述言語に基づいて、前記印刷命令によって前記印刷装置が使用する消耗品の使用量を算出し、前記使用量に基づいて、印刷紙上に実際に印刷する面積と印刷紙上の印刷領域全体の面積の比率であるデューティ比を算出し、算出した前記デューティ比を予め設定された値の範囲で分類し、値の範囲に対応して予め設定された課金料金のうち前記デューティ比に対応する前記課金料金を得ることを特徴とする。
【０００７】
請求項３に記載の発明は、ネットワークを介してユーザの端末及び印刷装置と接続され、前記ユーザの端末から印刷命令を受信し、前記印刷命令を前記印刷装置へ送信する通信制御部と、前記通信制御部で受信した印刷命令を印刷ジョブとして格納する印刷ジョブ格納部と、前記印刷ジョブ格納部から、前記印刷ジョブを読み出す時に、当該印刷ジョブのユーザＩＤと同じＩＤが設定されている格納中の他の印刷ジョブを検出し、前記読み出した印刷ジョブと検出したユーザＩＤが同一の前記印刷ジョブを結合し、印刷命令として前記印刷装置へ送信する印刷制御部と、を備えたことを特徴とする印刷制御装置である。
【０００８】
請求項４に記載の発明は、ネットワークを介してユーザの端末及び印刷装置と接続している印刷制御装置の印刷制御方法であって、ネットワークを介して前記ユーザの端末から印刷命令を受信する過程と、受信した前記印刷命令の圧縮形式に対応する圧縮アルゴリズムを検出する過程と、前記圧縮アルゴリズムに基づいて前記印刷命令を解読する過程と、解読した前記印刷命令に基づいて前記印刷装置が使用する消耗品の使用量を算出する過程と、前記使用量に基づいて課金料金を算出する過程と、前記印刷命令を前記印刷装置に送信する過程と、を備えたことを特徴とする印刷制御方法である。
【０００９】
請求項５に記載の発明は、請求項４に記載の発明において、前記印刷制御方法は、解読した前記印刷命令に用いられているプリンタ記述言語を検出する過程と、前記プリンタ記述言語に基づいて、前記印刷装置が使用する消耗品の使用量を算出する過程と、前記使用量に基づいて、印刷紙上に実際に印刷する面積と印刷紙上の印刷領域全体の面積の比率であるデューティ比を算出する過程と、算出した前記デューティ比を予め設定された幾つかの値の範囲の段階で分類する過程と、前記値の範囲ごとに予め設定された課金料金のうち該当する前記課金料金を得る過程と、を更に備えたことを特徴とする。
【００１０】
請求項６に記載の発明は、ネットワークを介してユーザの端末及び印刷装置と接続している印刷制御装置の印刷制御方法であって、前記ユーザの端末から印刷命令を受信する過程と、前記通信制御部で受信した印刷命令を印刷ジョブとして格納する過程と、格納中の前記印刷ジョブを読み出す過程と、当該印刷ジョブのユーザＩＤと同じＩＤが設定されている格納中の他の印刷ジョブを検出する過程と、前記読み出した印刷ジョブと検出したユーザＩＤが同一の前記印刷ジョブを結合する過程と、結合した前記印刷ジョブを印刷命令として前記印刷装置へ送信する過程と、を備えたことを特徴とする印刷制御方法である。
【００１１】
請求項７に記載の発明は、ネットワークを介してユーザの端末及び印刷装置と接続している印刷制御装置のコンピュータに、ネットワークを介して前記ユーザの端末から印刷命令を受信する手順、受信した前記印刷命令の圧縮形式に対応する圧縮アルゴリズムを検出する手順、前記圧縮アルゴリズムに基づいて前記印刷命令を解読する手順、解読した前記印刷命令に基づいて前記印刷装置が使用する消耗品の使用量を算出する手順、前記使用量に基づいて課金料金を算出する手順、前記印刷命令を前記印刷装置に送信する手順、を実行させるコンピュータプログラムである。
【００１２】
請求項８に記載の発明は、請求項７に記載の発明において、解読した前記印刷命令に用いられているプリンタ記述言語を検出する手順、前記プリンタ記述言語に基づいて、前記印刷装置が使用する消耗品の使用量を算出する手順、前記使用量に基づいて、印刷紙上に実際に印刷する面積と印刷紙上の印刷領域全体の面積の比率であるデューティ比を算出する手順、算出した前記デューティ比を予め設定された幾つかの値の範囲で分類する手順、前記値の範囲ごとに予め設定された課金料金のうち該当する前記課金料金を得る手順、を更に備えたことを特徴とする。
【００１３】
請求項９に記載の発明は、ネットワークを介してユーザの端末及び印刷装置と接続している印刷制御装置のコンピュータに、前記ユーザの端末から印刷命令を受信する手順、前記通信制御部で受信した印刷命令を印刷ジョブとして格納する手順、格納中の前記印刷ジョブを読み出す手順、当該印刷ジョブのユーザＩＤと同じＩＤが設定されている格納中の他の印刷ジョブを検出する手順、前記読み出した印刷ジョブと検出したユーザＩＤが同一の前記印刷ジョブを結合する手順、結合した前記印刷ジョブを印刷命令として前記印刷装置へ送信する手順、を実行させるコンピュータプログラム。
【００１４】
この発明によれば、ユーザの端末から印刷装置へ印刷命令が送信される前に、印刷制御装置で印刷命令を受信し、印刷命令に用いられている圧縮アルゴリズムに基づいて印刷命令を解読する構成を取っている。そのため、印刷制御装置において一元的に課金料金を算出することができ、ユーザのコンピュータに負担をかけなくする効果がある。また、ユーザの端末に算出した課金料金を応答することで、印刷前に課金料金を確認することができ、ユーザが印刷するかどうかを判断することができる効果がある。
【００１５】
また、本発明によれば、印刷制御装置において、圧縮アルゴリズムに基づいて解読した印刷命令に用いられているプリンタ記述言語を検出し、プリンタ記述言語に基づいて印刷命令によって印刷装置が使用するトナー等の使用量を算出する構成を取っている。また、算出された使用量から、印刷紙上に印刷された面積と印刷紙全体の面積の比率であるデューティ比を算出し、さらにデューティ比が予め設定された料金段階のどの段階に該当するかを判定する構成を取っている。そのため、印刷制御装置はプリンタ記述言語に基づいた正確な使用量を算出でき、また、その使用量に対応するデューティ比と課金料金を算出することができる効果がある。
【００１６】
また、さらに、本発明によれば、印刷制御装置で印刷命令を蓄積し、あるユーザの印刷命令が読み出される時に合わせて蓄積されている印刷命令の中から同一ユーザのＩＤである印刷命令を検出して、印刷装置にまとめて送信する構成を取っている。そのため、ユーザごとの印刷命令を連続印刷することができ、連続印刷によって低減される消耗量をユーザに割引料金として還元することができるという効果がある。
【発明を実施するための最良の形態】
【００１７】
以下、本発明の一実施形態による印刷制御装置を図面を参照して説明する。
図１は、この発明の一実施形態による印刷制御装置１の構成及び、周辺の機器との接続構成を示すブロック図である。
端末１１は、ユーザが使用するパーソナルコンピュータ等である。ネットワーク１２は、例えば、オフィス内に設置されたＬＡＮ（Ｌｏｃａｌ  Ａｒｅａ  Ｎｅｔｗｏｒｋ）であり、端末１１の他に印刷制御装置１と印刷装置１０を相互に接続している。印刷制御装置１は、例えば、印刷を専門に引き受ける印刷業者等で使用されることが想定される。
印刷制御装置１の通信制御部２はユーザの端末１１からネットワーク１２を介して印刷命令を受信し、また、印刷制御装置１内で所定の処理した後に、ネットワーク１２を介して印刷命令を印刷装置１０に送信する。印刷ジョブ格納部３は通信制御部２で受信した印刷命令を印刷ジョブとして格納する。印刷制御部４は、受信した印刷命令のデータに用いられている圧縮アルゴリズムを判定して印刷命令のデータを解読する。そして、解読した印刷命令のデータに用いられているプリンタ記述言語を判定し、印刷装置１０が使用する感光体やトナー、インク、用紙等の消耗品の使用量をプリンタ記述言語に基づいて算出する。また、算出した消耗品の使用量によって印刷紙上に印刷される面積と印刷紙全体の面積の比率であるデューティ比を算出する。また、デューティ比は少数点等を含んだ値で求められるため、予め設定されているデューティ比１％、３％、５％の３段階等に分類される。１％、３％、５％等の各段階には、予め所定の課金料金が設定されており、算出したデューティ比に対応する段階の課金料金を、例えばユーザの端末に送信する。そうすることにより、ユーザは印刷実行前に課金料金を知ることが可能となる。課金料金は１回辺りの印刷で必要となる印刷装置のメンテナンスにかかる費用と用紙、感光体とトナー、インク等の使用量に基づく料金から成る。
【００１８】
図２は、ユーザの端末１１において、ユーザが設定するプリンタドライバの基本設定画面を示したものである。プリンタドライバの基本画面２０には、以下のパラメータの選択が可能となっている。以下、消耗品の使用量に関わるパラメータについて説明する。
用紙選択２１はＢ５やＡ４等の用紙サイズを選択するためのパラメータである。用紙種類２２は、通常の印刷に用いる普通紙や再生紙、写真などを印刷するための光沢紙、マット紙などを選択するためのパラメータである。用紙の種類によって、使用するトナーやインクの種類及び量が変わることになる。色種類２３は、カラー印刷か白黒印刷かを選択するパラメータであり、使用するカラーのトナーやインクの量が変わることになる。印刷品質２４は、標準品質か高品質かを選択するパラメータである。印刷部数２５は、同じデータを何部印刷するかを選択するパラメータである。これらのパラメータが、印刷命令を生成する際のプリンタ記述言語に反映される。
【００１９】
図３は、プリンタドライバにおいて、印刷品質をさらに詳細に設定するための詳細設定画面３０を示したものである。色種類３１は、カラー印刷か白黒印刷かを選択するパラメータであり、使用するカラーのトナーやインクの量が変わることになる。解像度３２は、標準品質か高品質かを選択するパラメータであり、使用するトナーやインクの量が変わることになる。トナーセーブ３３は、トナーの使用量を抑えるパラメータである。ＲＩＴ（Ｒｅｓｏｌｕｔｉｏｎ  Ｉｍｐｒｏｖｅｍｅｎｔ  Ｔｅｃｈｎｏｌｏｇｙ）３４は、写真等を含む画像データを印刷する時に使用するパラメータであり、使用するトナーやインクの量が変わることになる。
カラー調整３５は、カラー印刷における色の補正等を行うパラメータからなる。色補正３６は、明度、コントラスト、彩度の他、シアン、マゼンダ、イエロー等の色を変更することができるパラメータからなる。カラー調整３５及び色補正３６によって、使用するカラーのトナーやインクの量が変わることになる。これらのパラメータもまた、印刷命令を生成する際のプリンタ記述言語に反映される。
【００２０】
図４は、プリンタドライバにおけるその他のパラメータ設定を行う拡張設定画面４０を示したものである。拡張設定画面４０において、印刷時の用紙、トナーやインク等の使用量に影響があるパラメータとして、高速グラフィック４１のパラメータ等がある。このパラメータもまた、印刷命令を生成する際のプリンタ記述言語に反映される。
【００２１】
図５は、印刷制御装置１の処理を示したシーケンス図である。まず、ユーザ端末１１において、ユーザが端末上でアプリケーション等で文書や画像を作成する（ステップＳ５−１）。次に、それらの文書や画像を印刷するためにプリンタドライバ上で印刷パラメータの設定を行う（ステップＳ５−２）。ユーザが端末画面上で印刷を選択するとプリンタドライバは、文書や画像のデータに基づいてプリンタ記述言語により印刷データを生成する。この印刷データには、印刷する文書や画像のデータに加えて、用紙サイズ、カラーか白黒等の印刷時のパラメータ情報も含まれている。次に、プリンタドライバは生成された印刷データを所定の圧縮アルゴリズムで圧縮する（ステップＳ５−４）。そして、圧縮した印刷データを印刷命令として印刷制御装置１へ送信する（ステップＳ５−５）。
印刷制御装置１は、印刷命令を受信する（ステップＳ５−６）。受信した印刷命令のヘッダからどの圧縮アルゴリズムによって圧縮されたデータなのかを判定する（ステップＳ５−７）。そして、予め記憶している圧縮アルゴリズムの中から該当するものを読み出し、その圧縮アルゴリズムに基づいて印刷命令を解読する（ステップＳ５−８）。なお、ここでは、１度に全てを解凍して内容を読み取るのではなく、印刷命令の先頭のビットから順に解凍して読み取っていく。そして読み取ったデータから印刷命令に用いられているプリンタ記述言語を検出する（ステップＳ５−９）。そして、予め記憶しているプリンタ記述言語の中から該当するものを読み出し、そのプリンタ記述言語に基づいて、印刷命令の内容を解読する（ステップＳ５−１０）。次に、解読したプリンタ記述言語から印刷する内容が判明するため、トナーやインク等の使用量を算出する（ステップＳ５−１１）。さらに、印刷紙面の面積と紙全体の面積の比であるデューティ比を算出する。算出したデューティ比は、小数点以下の値を含んで得られるため、例えばそのデューティ比を、１％、３％、５％等の所定の段階に分類する。それぞれの段階には、予め課金料金が割り当てられており、算出したデューティ比が属する段階の課金料金を、例えばユーザの端末に応答するようにすることもできる（ステップＳ５−１２）。算出が終了した時点で、蓄積していた印刷命令を印刷装置に送信する。この時、ユーザが課金料金を確認し、印刷を許可する指示を受けてから印刷装置に送信するようにしてもよい（ステップＳ５−１３）。印刷装置は印刷命令を受信する（ステップＳ５−１４）。そして、印刷装置は、受信した印刷データを紙に出力する（ステップＳ５−１５）。
【００２２】
図６は、同じデータを３回に分けて印刷した場合のレーザプリンタの動作と出力する部数を３にして出力した場合の動作の違いを示した図である。レーザプリンタは、印刷出力前に、エンジン調整を行うが、その度に感光体ドラムや定着器等の調整を行うため、感光体等の消耗品を余分に消費することになる。
データを３回印刷した場合は、レーザプリンタ内のエンジン調整が５０ａ、５０ｂ、５０ｃのように３回行われる。一方、部数３で印刷した場合には同図の５１ように印刷ジョブが１つにまとめられるため、同図の５０のようにエンジン調整は１回のみしか行われず、消耗品の使用量を節約することが可能となる。
【００２３】
図７は、印刷制御装置１の印刷ジョブ格納部３において格納した印刷ジョブを読み出して印刷する処理を示したフローチャートである。まず、印刷制御部４が印刷ジョブ格納部３から印刷ジョブを読み出す（ステップＳ７−１）。読み出した印刷ジョブのユーザＩＤを検出し、同一のユーザＩＤが設定されている印刷ジョブが印刷ジョブ格納部３に存在するか否かを検出する（ステップＳ７−２）。同一ユーザの印刷ジョブがある場合には、印刷ジョブ格納部３からその印刷ジョブを読み出して、先に読み出した印刷ジョブと結合する（ステップＳ７−３）。印刷ジョブの結合とは、レーザプリンタのエンジン調整が最初にしか行われない部数印刷のように扱われるように印刷ジョブを結合することを意味する。印刷ジョブ格納部３に印刷ジョブが無くなった場合には、結合した印刷ジョブを印刷装置１０へ送信する（ステップＳ７−４）。印刷装置１０は、エンジン調整を１回行い、受信した印刷ジョブを出力する。これによって、そのユーザの当該印刷ジョブに関しては消耗品の使用量を低減することができ、課金料金を減額する等の処理を行うことが可能となる。
【００２４】
上述の印刷制御装置は内部に、コンピュータシステムを有している。そして、上述した印刷制御装置の処理過程は、プログラム形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【図面の簡単な説明】
【００２５】
【図１】本発明の一実施形態である印刷制御装置の機能ブロック図である。
【図２】同実施形態におけるプリンタドライバの設定画面図（その１）である。
【図３】同実施形態におけるプリンタドライバの設定画面図（その２）である。
【図４】同実施形態におけるプリンタドライバの設定画面図（その３）である。
【図５】同実施形態における圧縮アルゴリズムに基づく印刷命令の解読処理のフローチャートである。
【図６】同実施形態における印刷ジョブの結合とエンジン調整処理の関係を示した図である。
【図７】同実施形態における同一ユーザＩＤの印刷ジョブを結合する処理のフローチャートである。
【符号の説明】
【００２６】
１  印刷制御装置
２  通信制御部
３  印刷ジョブ格納部
４  印刷制御部
１０  印刷装置
１１  端末
１２  ネットワーク
【図１】
2005219343.tif 000003
【図２】
2005219343.tif 000004
【図３】
2005219343.tif 000005
【図４】
2005219343.tif 000006
【図５】
2005219343.tif 000007
【図６】
2005219343.tif 000008
【図７】
2005219343.tif 000009